(57)【要約】気管瘻孔用のブリージングプロテクターが提供される。ブリージングプロテクターは、使用中、空気の流れが使用者の周囲から前記使用者の気管内に吸気口を通して排気口まで移動するように吸気口および排気口を備える。さらに、そのブリージングプロテクターは、フィルタハウジング（１０１）を備え、そのフィルタハウジングは内側ハウジング部分（１０２）、外側ハウジング部分（１０３）、およびフィルタ本体（１１０）を備える。内側ハウジング部分（１０２）は、排気口、気管チューブ取り付け具（１０４）および気管チューブ取り付け具（１０４）から長手方向かつ遠位に延びる支持構造（１０８）を備える。基板（１０５）が、気管チューブ取り付け具（１０４）の近位領域に配置され、前記基板（１０５）は、気管チューブ取り付け具（１０４）から半径方向外側に延びる。外側ハウジング部分（１０３）は、支持構造（１０８）を囲むケージを形成する吸気口を備える。フィルタ本体（１１０）は、支持構造（１０８）と外側ハウジング部分（１０３）との間に配置される。アセンブリツールおよびその組み立て方法も提供される。【選択図】図１
2013521085.tif 000002
【特許請求の範囲】
【請求項１】
使用中、空気の流れが使用者の周囲から前記使用者の気管内に吸気口を通して排気口まで移動するように吸気口および排気口を備える、気管瘻孔用のブリージングプロテクターであって、前記ブリージングプロテクターは、内側ハウジング部分（１０２）、外側ハウジング部分（１０３）、およびフィルタ本体（１１０）を備えるフィルタハウジング（１０１）を備え、
前記内側ハウジング部分（１０２）は、前記排気口、気管チューブ取り付け具（１０４）および前記気管チューブ取り付け具（１０４）から長手方向かつ遠位に延びる支持構造（１０８）を備え、基板（１０５）が前記気管チューブ取り付け具（１０４）の近位領域に配置され、前記基板（１０５）は前記気管チューブ取り付け具（１０４）から半径方向外側に延び、
前記外側ハウジング部分（１０３）は、前記支持構造（１０８）を囲むケージを形成する、前記吸気口を備え、
前記フィルタ本体（１１０）は、前記支持構造（１０８）と前記外側ハウジング部分（１０３）との間に配置される、ブリージングプロテクター。
【請求項２】
前記内側ハウジング部分（１０２）は、前記基板（１０５）の遠位にピンチプレート（１０６）を備える、請求項１に記載のブリージングプロテクター。
【請求項３】
前記ピンチプレート（１０６）は、前記気管チューブ取り付け具（１０４）から半径方向外側に延び、前記フィルタ本体（１１０）は、前記ピンチプレート（１０６）と前記外側ハウジング部分（１０３）との間に挟まれる、請求項２に記載のブリージングプロテクター。
【請求項４】
前記基板（１０５）は、前記ピンチプレート（１０６）を越えて側方に延び、それにより、前記外側ハウジング部分（１０３）は前記基板（１０５）から遠位に延びることができる、請求項２または３に記載のブリージングプロテクター。
【請求項５】
熱湿気交換本体（１１１）が、前記支持構造（１０８）と前記外側ハウジング部分（１０３）との間に配置される、請求項１〜４のいずれか一項に記載のブジージングプロテクター。
【請求項６】
前記熱交換本体（１１１）が、前記支持構造（１０８）と前記フィルタ本体（１１０）との間に配置される、請求項５に記載のブリージングプロテクター。
【請求項７】
前記熱交換本体（１１１）が、前記ピンチプレート（１０６）の遠位に配置される、請求項５または６に記載のブリージングプロテクター。
【請求項８】
前記熱交換本体（１１１）に貫通穴（１１２）が設けられる、請求項５〜７のいずれか一項に記載のブリージングプロテクター。
【請求項９】
前記気管チューブ取り付け具（１０４）が、円筒体である、請求項１〜８のいずれか一項に記載のブリージングプロテクター。
【請求項１０】
前記円筒体（１０４）が、中心軸Ａで遠近方向において長手方向に延び、前記円筒体（１０４）に沿って遠位に移動していくと前記円筒体（１０４）が水平面においてわずかに減少した断面積を有する、請求項９に記載のブリージングプロテクター。
【請求項１１】
前記支持構造（１０８）が、支持フィンガ、支持バー、支持リブを備え、それらの間にスロットを有する、請求項１〜１０のいずれか一項に記載のブリージングプロテクター。
【請求項１２】
前記内側ハウジング部分（１０２）および前記外側ハウジング部分（１０３）が、前記外側ハウジング部分（１０３）の近位端における接触面に沿って接続される、請求項１〜１１のいずれか一項に記載のブリージングプロテクター。
【請求項１３】
前記内側ハウジング部分（１０２）および前記外側ハウジング部分（１０３）が、前記基板（１０５）の周囲に沿って接続可能である、請求項１２に記載のブリージングプロテクター。
【請求項１４】
前記外側ハウジング部分（１０３）が、前記内側ハウジング部分（１０２）の周囲を保持するための、前記外側ハウジング部分（１０３）の近位端の円周に配置された保持手段（１０９）を備え、それにより、２つが接続して協動する、請求項１〜１３のいずれか一項に記載のブリージングプロテクター。
【請求項１５】
前記保持手段（１０９）が、前記外側ハウジング部分１０３の円周に延びる保持フランジである、請求項１４に記載のブリージングプロテクター。
【請求項１６】
前記内側ハウジング部分（１０２）が、前記外側ハウジング部分（１０３）に溶接される、請求項１〜１５のいずれか一項に記載のブリージングプロテクター。
【請求項１７】
前記外側ハウジング部分（１０３）に、穴が開いているか、または前記外側ハウジング部分１０３の上部に遠位に延びるリブが設けられ、前記リブは接続点において接続している、請求項１〜１６のいずれか一項に記載のブリージングプロテクター。
【請求項１８】
前記フィルタ本体（１１０）は、前記内側ハウジング部分（１０２）と前記外側ハウジング部分（１０３）との間の少なくとも一部において波形／プリーツ形態で配置される、請求項１〜１７のいずれか一項に記載のブリージングプロテクター。
【請求項１９】
前記フィルタ本体（１１０）の遠位上部は、実質的に平らであり、前記ブリージングプロテクターの中心軸（Ａ）に対して横方向に延びる、請求項１８に記載のブリージングプロテクター。
【請求項２０】
前記熱湿気交換本体（１１１）は、前記内側ハウジング部分（１０２）と前記外側ハウジング部分（１０３）との間の少なくとも一部において波形／プリーツ形態で配置される、請求項６〜１９のいずれか一項に記載のブリージングプロテクター。
【請求項２１】
溝（１１３）が、前記基板（１０５）と、前記内側ハウジング部分（１０２）上の前記ピンチプレート（１０６）との間に配置される、請求項２〜２０のいずれか一項に記載のブリージングプロテクター。
【請求項２２】
アセンブリ位置において外側ハウジング部分（１０３）を保持するための固定部（２０１）を備える、ブリージングプロテクターアセンブリツールであって、前記固定部（２０１）は、前記外側ハウジング部分（１０３）を受け入れるためのキャビティ（２０２）、前記キャビティ（２０２）の長手方向伸長に対して横方向に延び、前記キャビティ（２０２）と交差するチャネル（２０４）を備え、前記チャネル（２０４）は、それを通してフィルタ調節スティック（２０５）を受け入れるように構成される、ブリージングプロテクターアセンブリツール。
【請求項２３】
前記キャビティ（２０２）は、深くなるにつれてより狭くなる、請求項２２に記載のブリージングプロテクターアセンブリツール。
【請求項２４】
前記キャビティ（２０２）の円周にフィルタ本体シート（２０７）を備える、請求項２２または２３に記載のブリージングプロテクターアセンブリツール。
【請求項２５】
請求項２２〜２４のいずれか一項に記載のブリージングプロテクターアセンブリツールのキャビティ（２０２）内に外側ハウジング部分（１０３）を配置する工程と、
前記ブリージングプロテクターアセンブリツールのキャビティ（２０２）の口に少なくとも１つのフィルタ本体（１１０）を配置する工程と、
内側ハウジング部分（１０２）が、前記外側ハウジング部分（１０３）と協動するようになるまで、前記フィルタ本体（１１０）は、前記内側ハウジング部分（１０２）の真下に配置されるように、前記キャビティ（２０２）内に前記内側ハウジング部分（１０２）を押す工程と、
を含む、請求項１〜２１のいずれか一項に記載のブリージングプロテクターを組み立てる方法。
【請求項２６】
前記内側ハウジング部分（１０２）が前記キャビティ（２０２）内の下方に押される前に、熱湿気交換本体（１１１）が、前記フィルタ本体（１１０）の上部に配置される、請求項２５に記載の方法。
【発明の詳細な説明】
【技術分野】
【０００１】
本発明は、概して、喉頭切除された、または気管を切開された（ｔｒａｃｈｅｏｔｏｍｉｓｅｄ）人の瘻孔（小孔）（ｓｔｏｍａ）に使用するためのブリージングプロテクターの分野に関し、このブリージングプロテクターは、使用中、空気の流れがその人の周囲からその人の気管内に吸気口を通して排気口まで移動するように少なくとも１つの吸気口および少なくとも１つの排気口を有し、このブリージングプロテクターは、使用中、空気の流れが上記吸気口から上記排気口へと通過する場合に、上記空気の流れが熱湿気交換器および細菌フィルタを通過するように、熱湿気交換器および細菌フィルタを備える。
【背景技術】
【０００２】
気管開口術は外科的処置であり、開口部は、首の前部の表面から気管へと形成される。この開口部は気管瘻孔とよばれる。気管開口術の管は、気管瘻孔と気管との間に延在するように提供可能である。気管開口術は、例えば、神経系または呼吸経路に関連した損傷または疾患が原因となる機能不全（この機能不全により、十分な空気を得ることができない）が存在する場合に行われる。低肺活量または呼吸器の処置の必要性もまた、気管開口術が必要となる場合がある。
【０００３】
喉頭摘出は、例えば、癌腫を処置するために用いられる外科的処置であり、これは喉頭（ｌａｒｙｎｘ）または喉頭（ｖｏｉｃｅ  ｂｏｘ）を除去して、気管瘻孔を生成することを含む。この処置の結果、気管は咽頭にはもはや繋がっておらず、その代わりに気管瘻孔に回される。この処置の後、通常の鼻の機能は不可能となる。呼吸が通常に機能している被検体において、鼻および鼻腔を裏打ちする粘膜は、吸い込んだ空気を調節するという点で重要な機能を実行する。回旋状の通路および十分な血液供給により、吸い込んだ空気の温度および湿気の両方を上昇させて、肺の表面の温度および湿気のこれらのパラメータにおける差を最小にする。通常、一部の熱および湿気はまた、それが大気中へと放たれる前に、吐き出した空気から捕捉される。鼻道を裏打ちする粘膜はまた、吸い込んだ空気から、細かい埃の粒子、汚染物質、および微生物を取り除く役目を果たし、ならびに、繊毛の働きが粘膜および粒子を肺に移動させない。
【０００４】
患者が喉頭摘出を受けた場合、実際には、吸い込んだ空気の全ては気管瘻孔を介して肺に入り、鼻は事実上、吸い込み行為には含まれない。吐き出した空気は気管瘻孔を通過してもよいが、ヴォイスプロテーゼが適合されている場合、瘻孔は塞がれ、その結果、吐き出した空気はヴォイスプロテーゼから咽頭へ、そして口へと回されて、患者が会話をすることが可能となる。吐き出した空気の流れが、気管瘻孔のバルブによって制御されることが所望される。これらの状況において、バルブは、呼吸する間は開いたままにできるが、吐き出した空気の流れが少量分増加すると、空気の流れをそらすために閉じられる。
【０００５】
この点において、フィルタ装置およびブリージングプロテクターが、吸い込んだ空気を湿らせ、ウイルスおよび細菌の拡散を最小化するために、その吸い込んだ空気中の微粒子および細菌性の物質を取り除くことができるように開発されている。これは特に、同じ呼吸器が複数の患者で使用される場合に問題となる。これは、鼻の機能に類似するものである。しかしながら、このような装置の製造に関するいくつかの問題が存在する。第１に、そのような装置のユーザは、サイズ（例えば、できるだけ小さい、その装置のデッドスペース面積または容積など）をそのままに保ちつつ、質の良い保湿および除去効果を必要とする。そうでなければ、その装置は子供には適さない。第２に、保湿効果および除去効果は、装置に対する大きな抵抗（ｒｅｓｉｓｔａｎｃｅ）を生成せずに、大きな表面積を必要とする。これらの基準は相反するものであり、読者も既に認めていることである。また、喉頭摘出を受けた人は、会話をしたいときには、指や親指をこれらの装置の上に押さえる必要があり、それによって、気管壁を介したこの装置および瘻孔を介する空気の流れを妨げ、このことが、ユーザの指からフィルタへ不純物が移動するため、不必要な汚染でフィルタに負担をかける。
【０００６】
特許文献１は、ハウジングおよびフィルタ部品を含む、気管瘻孔を介して呼吸された空気をフィルタリングするフィルタアセンブリを開示している。しかしながら、そのフィルタ部品は、ハウジング内で動き、フィルタ部品および熱−湿気交換器を一体で接着させ、さらなる製造工程が余儀なくされ、製造手順が複雑になり、時間がかかり、従って費用が高くなる。特許文献２は、同様のフィルタ部品および装置の構成を開示している。また、これらの平面フィルタのフィルタリング効果は非常に低い。
【０００７】
特許文献３は、喉頭切除された人の瘻孔に使用するためのブリージングプロテクターを開示している。そのブリージングプロテクターは、熱−湿気交換器、細菌フィルタ、および閉鎖機構が設けられている。しかしながら、近位側が患者の皮膚と接触する傾向があり、従って、フィルタを詰まらせ、汚染させる危険性がある。また、閉鎖機構のため、この種のブリージングプロテクターは大きなデッドスペースを有し、装置を大きくさせ、デッドスペースを増加させるので、子供には有効でない。また、非常に大きなデッドスペースにより、患者の肺へ到達する新鮮な空気が減少する。さらに、ブリージングプロテクターの異なる部分の構成は、接着／溶接、または他の取り付け手段を必要とし、製造手順が複雑になり、時間がかかるので、費用が高くなる。
【０００８】
それ故、その装置は、保護されたフィルタ面と共に熱−湿気交換機能および細菌／ウイルスフィルタリング機能を備えると同時に、可能な場合、不必要な接着物体／要素をそれらの間に有する特別に設計されるフィルタ本体を省略することができる、小さく、かつ空間が効果的な装置を可能にする、新規ブリージングプロテクターが有益であろう。また、そのような新規ブリージングプロテクターの容易な組み立てを可能にする構成および部品も有益であろう。
【先行技術文献】
【特許文献】
【０００９】
【特許文献１】米国特許第５，８４８，５９０号明細書
【特許文献２】米国特許第５，６６６，９５０号明細書
【特許文献３】国際公開第２００８／１３２２２２号パンフレット
【発明の概要】
【発明が解決しようとする課題】
【００１０】
したがって、本発明は好ましくは、単一または任意の組み合わせにおいて当該分野における上記の欠点および不都合な点の１つ以上を軽減、緩和または排除することを目的とする。
【課題を解決するための手段】
【００１１】
上記の問題は、以下のブリージングプロテクターを提供することによって少なくとも解決される。添付の特許請求の範囲に記載される、気管瘻孔用のブリージングプロテクターであって、使用中、空気の流れが使用の周囲からその使用者の気管内に吸気口を通して排気口まで移動するように吸気口および排気口を備え、そのブリージングプロテクターはフィルタハウジングを備え、そのフィルタハウジングは、内側ハウジング部分、外側ハウジング部分、およびフィルタ本体を備え、その内側ハウジング部分は、排気口、気管チューブ取り付け具およびその気管チューブ取り付け具から長手方向かつ遠位に延びる支持構造を備え、基板が、気管チューブ取り付け具の近位領域に配置され、その基板は気管チューブ取り付け具から半径方向外側に延び、外側ハウジング部分が、支持構造を囲むケージを形成する、吸気口を備え、フィルタ本体が支持構造と外側ハウジング部分との間に配置される、ブリージングプロテクター；ブリージングプロテクターアセンブリーツールであって、アセンブリ位置において外側ハウジング部分を保持するための固定部を備え、その固定部は、外側ハウジング部分を受け入れるためのキャビティを備え、キャビティの長手方向伸長に対して横方向に延び、そのキャビティと交差するチャネルであって、そのチャネルは、それらを通してフィルタ調節スティックを受け入れるように構成される、ブリージングプロテクターアセンブリーツール；ならびに上記のブリージングプロテクターを組み立てる方法であって、上記のブリージングプロテクターアセンブリツールのキャビティ内に外側ハウジング部分を配置する工程と、ブリージングプロテクターアセンブリツールのキャビティの口に少なくともフィルタ本体を配置する工程と、内側ハウジング部分が、外側ハウジング部分と協動するようになるまで、フィルタ本体は、内側ハウジング部分の真下に配置されるように、キャビティ内に内側ハウジング部分を押す工程とを含む、ブリージングプロテクターを組み立てる方法が提供される。
【００１２】
本発明のこれらおよび他の態様、特徴および利点は、添付の図面を参照して本発明の実施形態の以下の説明から明らかになり、解明されるだろう。
【図面の簡単な説明】
【００１３】
【図１】本発明の一実施形態に係るブリージングプロテクターの断面図である。
【図２】配置されていない状態のフィルタ本体および熱湿気交換本体の場合の斜視図である。
【図３】ブリージングプロテクターのコンポーネントと共に、第１の位置における本発明の一実施形態に係るブリージングプロテクターを取り付けるアセンブリの断面および分解図である。
【図４】ブリージングプロテクターのコンポーネントと共に、第２の位置における本発明の一実施形態に係るブリージングプロテクターを取り付けるアセンブリの断面および分解図である。
【発明を実施するための形態】
【００１４】
以下の説明は、ブリージングプロテクター、特に気管を切開された人の気管瘻孔に対する適用のためのブリージングプロテクターに適用可能な本発明の一実施形態に焦点を当てている。
【００１５】
本発明の一実施形態において、図１によれば、気管瘻孔用のブリージングプロテクターが提供される。そのブリージングプロテクターはフィルタハウジング１０１を備える。フィルタハウジング１０１は内側ハウジング部分１０２および外側ハウジング部分１０３を備える。内側ハウジング部分１０２および外側ハウジング部分１０３は、ポリプロピレンなどの適切な高分子材料で射出成形されてもよい。
【００１６】
内側ハウジング部分１０２は、円筒体１０４の形態の気管チューブ取り付け具を備える。円筒体１０４は中心軸Ａを有して遠近に長手方向に延びる。円筒体１０４は、その円筒体１０４に沿って遠位に移動させる場合、水平面においてわずかに減少した断面積を有してもよい。このように、円筒体は、円錐形または切断円錐形を有してもよい。気管チューブ取り付け具は好ましくは、標準的な気管チューブに接続される、ＩＳＯ−１５錐体を有する。
【００１７】
円筒体１０４などの気管チューブ取り付け具の近位領域において、基板１０５が、気管チューブ取り付け具から半径方向外側に延びる。次いで、基板１０５は、円筒体１０４に対して水平面に実質的に延びる。水平面における基板１０５の周囲形状は、外側ハウジング部分１０３の形状に対応して、異なる形状を有してもよい。しかしながら、ブリージングプロテクターの製造および組み立てを容易にするために、円形および楕円形状が好ましい。また、この設計は十分に満足のいくものである。水平面における他の可能な周囲形状は、三角形、矩形、正方形、または他の多角形である。基板１０５の外側端部は、下側側方にわずかに傾いていてもよく、それにより、外側ハウジング部分１０３との協動が容易になり得る。
【００１８】
円筒体１０４などの気管チューブ取り付け具において、ピンチプレート１０６が基板１０５の遠位に配置される。ピンチプレート１０６は気管チューブ取り付け具から半径方向外側に延びる。次いでピンチプレート１０６は円筒体１０４に対して水平面に実質的に延びる。水平面におけるピンチプレート１０６の周囲形状は、外側ハウジング部分１０３および基板１０５の形状に対応して、異なる形状を有してもよい。基板１０５はピンチプレート１０６を越えて側方に延び、それによって、外側ハウジング部分１０３は、同じ、側方のピンチプレート１０６に接続された後、基板から遠位に延び得る。ピンチプレート１０６は、以下に従って改良された挟み（ｐｉｎｃｈｉｎｇ）機能のために外側フランジ１０７を有してもよい。
【００１９】
支持構造１０８は、円筒体１０４などの気管チューブ取り付け具および／またはピンチプレート１０６から長手方向かつ遠位に延びる。支持構造１０８は、支持フィンガ（ｆｉｎｇｅｒ）、支持バー、支持リブであってもよく、それらの間にスロットを有する。支持構造１０８はまた、穿孔グリッドまたはレールであってもよい。支持構造は、その中の穿孔またはスロットを通して空気を吸入し吐き出すことができるように、外側ハウジング部分１０３の内部または内側ではなく、支持構造１０８の外側または側方に均一に分配された形態で熱−湿気交換器およびフィルタ本体を支持する。
【００２０】
外側ハウジング部分１０３および内側ハウジング部分１０２は、外側ハウジング部分１０３の近位端における接触面に沿って接続可能である。従って、外側ハウジング部分１０３および内側ハウジング部分１０２は、基板１０５の周囲に沿って接続可能であってもよい。外側ハウジング部分１０３は、使用中、着用者の首から遠位に膨れる。したがって、外側ハウジング部分１０３は、ケージを形成または構成し、ピンチプレート１０６、フランジ１０７、及び支持構造１０８を取り囲む。好適な膨らんだ形状は、外側ハウジング部分１０３の外面が、内側ハウジング部分１０２との接触面から遠位に延びる限り、ドーム形状、楕円形のドーム形状、立方体形状、円錐形状などであり、前記接触面に沿った外側ハウジング部分１０３の断面積、すなわち、水平面における基板１０５の断面積と比較して内面の増加を可能にする。このように、容積が効果的に使用されることができ、それにより、デッドスペースが減少し、装置をより小さくする。
【００２１】
外側ハウジング部分１０３は、内側ハウジング部分１０２の周囲を保持するための、外側ハウジング部分１０３の近位端の周囲に分配された保持手段１０９を有し、それにより、その２つが接続されて協動する。保持手段１０９は、外側ハウジング部分１０３の周囲に延びる保持フランジであってもよい。次いで、保持フランジは、内側ハウジング部分１０２上の基板１０５の外側端部上に留まる（スナップする（ｓｎａｐ））まで、内側ハウジング部分１０２に対して押された場合、いくらか側方に移動され得る。基板１０５および／または保持手段１０９の外側端部は、内側ハウジング部分１０２と外側ハウジング部分１０３との間の協動を容易にするための対応する斜面を有してもよい。また、内側ハウジング部分１０２は外側ハウジング部分１０３に溶接されてもよい。
【００２２】
外側ハウジング部分１０３は穴が開いているか、または外側ハウジング部分１０３の上部まで遠位に延びるリブが設けられ、リブは、外側ハウジング部分１０３の遠位上部における接続点で接続する。必然的に、リブ間の間隔が、次いで、スロットを形成し、そのスロットを通して、ブリージングプロテクターの使用の間、吸入した空気および吐き出した空気が通過できる。
【００２３】
外側ハウジング部分１０３の内面に沿って、フィルタ本体１１０が配置される。このように、フィルタ本体１１０は、指などの汚染物と接触することを防ぐことができる。また、ブリージングプロテクターの容積は、濾過面積／効果に関して最大化するように使用される。フィルタ本体１１０は、５０〜７０ｍｍの好適な直径を有する、円形を有してもよい。フィルタ本体１１０は、例えば、ポリプロピレン製の静電フィルタであってもよい。フィルタ本体は、外側ハウジング部分１０３の内面と一致するように支持構造１０８により押されるので、吐き出した空気および吸入した空気との広い相互作用面積が維持される。フィルタ本体１１０は、ピンチプレート１０６と外側ハウジング部分１０３との間に挟まれるので、その位置が維持され得る。また、外側ハウジング部分１０３とピンチプレート１０６との間にフィルタ本体を挟むことにより、ブリージングプロテクターの内側への細菌およびウイルス侵入の危険性が減少する。また、この構成により、接着剤などの追加のフィルタ本体取り付け手段を回避できる。フィルタ本体１１０を配置されていない状態で図２に開示する。
【００２４】
フィルタ本体１１０の内側に、かつ支持構造１０８の側方に、熱湿気交換本体１１１が配置される。熱湿気交換本体１１１はフィルタ本体１１０と同じ直径を有してもよく、したがって、また、ピンチプレート１０６と外側ハウジング部分１０３との間に挟まれてもよい。熱湿気交換本体１１１はまた、より小さい外径を有してもよく、それにより、熱湿気交換本体１１１はピンチプレート１０６の遠位で終端する。熱湿気交換本体１１１は、ピンチプレート１０６と外側ハウジング部分１０３との間でフィルタ本体１１０と共に挟まれない。次いで、ピンチプレート１０６における湿気（水分）蓄積が減少され得る。熱湿気交換本体１１１は、当該技術分野において公知の熱湿気交換本体に好適な発泡体で製造されてもよい。その発泡体はまた、熱湿気交換能を増加させるために、塩化カルシウムが含浸されていてもよい。主として、熱湿気交換本体１１１は貫通穴１１２が設けられてもよく、それによって、熱湿気交換本体１１１は環状で構成される。このように、熱湿気交換特性に関してブリージングプロテクターの適切な機能性を維持しながら、ブリージングプロテクターの高さは減少され得る。熱湿気交換本体１１１を、配置されていない状態で図２に開示する。
【００２５】
もちろん、基板１０５の円形以外の他の形状が使用される場合、必然的に、フィルタ本体１１０および熱湿気交換本体１１１は、円形の代わりに対応する形状に構成されてもよい。
【００２６】
図２および３において、ブリージングプロテクターを組み立てるツールおよびブリージングプロテクターを組み立てる方法が開示される。ブリージングプロテクターを組み立てるツールは、組み立て位置において外側ハウジング部分１０３を保持するための固定部２０１を備える。固定部２０１は、外側ハウジング部分を受け入れるためのキャビティ（空洞）２０２を備える。キャビティ２０２は反対の円錐形状を有してもよい。すなわち、キャビティは深くなるとより狭くなり、それにより、外側ハウジング部分１０３が、キャビティの開口部を通して挿入されることができ、外側ハウジング部分１０３がキャビティ２０２内に突き出る（ｓｔｕｃｋ）まで、キャビティ内に移されることができる。別の実施形態において、キャビティは固定部２０１を全て貫通し、それによって、外側ハウジング部分１０３は、外側ハウジング部分シート２０３内の真下から挿入されることができる。キャビティ２０２の長手方向伸長の横方向に、フィルタ調節スティック２０５を受け入れるためのチャネル２０４が配置される。調節スティック２０５は調節ピン２０６を有する。熱交換本体１１１およびフィルタ本体１１０により覆われている、内側ハウジング部分１０２が、溝１１３がピン２０６と同じ高さにある位置にあるキャビティ２０２内の上部から進むと、これらの調節ピンは、幅が、基板１０５とピンチプレート１０６との間の溝１１３に対応するので、調節ピン２０６は、フィルタ本体１１０を溝１１３内に押すことができる。調節ピン２０６はキャビティ２０２に対して半円形であってもよく、それによって、ピンは、内側ハウジング部分１０２を囲み、フィルタ本体１１０を、溝１１３の円周に沿って溝１１３内に押す。
【００２７】
固定部２０１の上面にて、フィルタ本体シート２０７がキャビティ２０２の円周に配置されてもよい。次いで、フィルタ本体１０５は前記フィルタ本体シート２０７に配置されてもよく、その後、熱湿気交換本体１１１が上部に配置されてもよい。続いて、内側ハウジング部分１０２は、フィルタ本体１１０および熱交換本体１１１上に押されてもよく、それら全てを、後の外側ハウジング部分１０３との協動によりキャビティ内に押すことができる。内側ハウジング部分１０２は、押圧部２０８を用いてキャビティ内に押されてもよい。押圧部２０８は好ましくは、内側ハウジング部分１０２の円筒体１０４の直径に対応する、またはそれよりいくらか短い直径を有する円柱ロッドであってもよい。キャビティ２０２が反対の円錐形を有する場合、すなわち、キャビティが深くなるにつれてより狭くなる場合、内側ハウジング部分１０２と共に、フィルタ本体１１０および熱交換本体１１１は、押圧部２０８によりキャビティ２０２内の下方へ押されてもよく、それにより、フィルタ本体１１０および熱交換本体１１１は、内側ハウジング部分１０２の方に連続して閉鎖する。このように、異なる部分の位置合わせが改良され得る。内側ハウジング部分１０２が、溝１１３およびチャネル２０４、ならびにそれにより調節スティック２０５および調節ピン２０６が実質的に並んで配置される位置までキャビティ２０２内の下方に移動すると、調節スティック２０５は内部／内側に押され、それにより、調節ピン２０６はフィルタ本体１１０および必要に応じて熱湿気交換本体１１１を溝１１３内に押す。次いで、調節スティック２０５および調節ピン２０６は引っ込められ、内側ハウジング部分１０２が外側ハウジング部分１０３と協動するようになるまで、押圧部２０８はさらに、キャビティ２０２内の下方に押される。協動は、内側ハウジング部分を押すことによって実現されてもよく、それにより、保持手段１０９は基板１０５と協動してスナップ式に留まる。
【００２８】
フィルタ本体１１０がアセンブリツールにおいて内側ハウジング部分１０２により押される場合、フィルタ本体は波形と想定され、それにより、少ない容積にて表面積を増加させることができ、その結果、デッドスペースを減少させる。
【００２９】
同時に、遠位上部は平らなままであり、装置の適切な高さを可能にする。したがって、フィルタ本体１１０および／または熱湿気交換器１１１は、波形／プリーツ（ひだのある）形態で外側ハウジング部分１０３と支持構造１０８との間に配置されてもよく、一方、遠位部、すなわち、フィルタ本体１１０および／または熱交換本体１１１の上部は実質的に平らであり、中心軸Ａに対して横方向に延びる。
【００３０】
本発明に係る実施形態は、最小数の構成要素を備えるブリージングプロテクターを可能にする。また、本明細書に開示されるブリージングプロテクターの構成要素は、費用のかからない製造材料で製造できる。製造プロセスは自動化するのに容易であるので、製造コストは低いままに維持される。
【００３１】
本発明は特定の実施形態を参照して上記に記載されているが、本明細書に記載されている特定の形態に限定されることを意図していない。むしろ、本発明は添付の特許請求の範囲のみにより限定され、特定の上記以外の他の実施形態がこれらの添付の特許請求の範囲の範囲内で同等に可能である。
【００３２】
特許請求の範囲において、「含む／含んでいる」という用語は、他の要素または工程の存在を排除しない。さらに、個々に記載されているが、複数の手段、要素または方法の工程は、例えば単一のユニットまたはプロセッサにより実施されてもよい。さらに、個々の特徴が異なる請求項に含まれてもよいが、それらは、可能な場合、有益に組み合わされてもよく、異なる請求項に含めることは、特徴の組み合わせが実施可能および／または有益でないと示すものではない。さらに、単数形の言及は複数形を排除しない。「一つの（ａ）」、「一つの（ａｎ）」、「第１の」、「第２の」などは、複数を除外しない。請求項における参照番号は明確な例として単に与えているだけであり、特許請求の範囲の範囲を限定するものと決して解釈されるべきではない。
【図１】
2013521085.tif 000003
【図２】
2013521085.tif 000004
【図３】
2013521085.tif 000005
【図４】
2013521085.tif 000006
【国際調査報告】
2013521085.tif 000007
2013521085.tif 000008
2013521085.tif 000009
2013521085.tif 000010
2013521085.tif 000011